(57)【特許請求の範囲】
【請求項１】
Ｌ字状に形成され、長方形状の貫通孔が穿設された固定部を一端側に有する継鉄と、
前記貫通孔よりも長手方向およびこれと直交する方向の少なくとも一方に長い断面を有する柱状に形成され、前記貫通孔より一回り若干小さい突面の突部を一端側に有するとともにフランジ部を他端側に有し、前記突部を前記貫通孔に挿入してその先端側をかしめて前記継鉄に固定される鉄芯と、
前記鉄芯に巻回されるコイルと
により構成される電磁継電器の電磁石に使用されるコイルボビンであって、
前記コイルボビンは、固定治具挿入用の切り欠けが一部に形成された鍔を有して成り、前記鉄芯と前記コイルとの間に介設される
電磁継電器のコイルボビン構造。
【請求項２】
前記コイルボビンは、断面コ字状で両端に鍔を有する形状に形成され、前記鉄芯のフランジ部側に位置する鍔に前記切り欠けを有する請求項１記載の電磁継電器のコイルボビン構造。
【請求項３】
前記コイルボビンは、筒状で両端に鍔を有する形状に形成され、前記鉄芯のフランジ部側に位置する鍔に前記切り欠けを有する請求項１記載の電磁継電器のコイルボビン構造。
【請求項４】
前記鉄芯のフランジ部側に位置する前記鍔には、カードの移動を規制する突部が形成されている請求項１〜３のいずれかに記載の電磁継電器のコイルボビン構造。
【請求項５】
請求項１〜４のいずれかに記載の電磁継電器のコイルボビン構造を持つコイルボビンと、前記継鉄と、前記鉄芯と、前記コイルとにより構成される電磁継電器の電磁石における鉄芯を固定する方法であって、
前記貫通孔に前記突部が挿入された状態の前記継鉄および鉄芯を、前記固定部の外周４方向と前記フランジ部側の一方向の合計５方向から、固定治具で固定しながら、前記貫通孔からの前記鉄芯の出しろに対して、前記貫通孔と前記突部との間に生じる隙間を埋めるようにスピンかしめを実行する際、さらに前記固定治具で前記切り欠けを通して前記鉄芯を固定する
電磁継電器の鉄芯固定方法。
【発明の詳細な説明】
【０００１】
【発明の属する技術分野】
本発明は、Ｌ字状に形成され、貫通孔が穿設された固定部を有する継鉄と、貫通孔よりも大きい柱状に形成され、貫通孔より一回り小さい突部を有し、この突部を貫通孔に挿入してその先端側をかしめて継鉄に固定される鉄芯と、この鉄芯に巻回されるコイルとにより構成される電磁継電器の電磁石に使用されるコイルボビンの構造に関するものである。
【０００２】
【従来の技術】
従来、高絶縁性で実装面積の小さい薄型の電磁継電器が種々市販されまた提案されている。この種の電磁継電器では、継鉄に長方形状の貫通孔を穿設し、この貫通孔に鉄芯の一部を挿入し、その先端をいわゆるスピンかしめなどによりかしめて、鉄芯と継鉄とを固定する方法が採られる場合がある。
【０００３】
【発明が解決しようとする課題】
しかしながら、このようなかしめによる鉄芯と継鉄との固定方法では、継鉄面からの鉄芯の出しろがばらついてしまうと、かしめの際に、継鉄における貫通孔近傍部分が膨らんで変形し、鉄芯と継鉄との間に隙間が生じる（残る）場合がある。この場合、磁気結合が弱まり、電磁石による吸引力が弱くなってしまう。
【０００４】
そこで、この問題を解決するため、本出願人により、特願平１１−１８０９２２号の出願で、電磁継電器の電磁石固定構造およびその方法が提案されている。この電磁継電器の電磁石は、Ｌ字状に形成され長方形状の貫通孔が穿設された固定部（屈曲面部）を一端側に有する継鉄と、貫通孔よりも長手方向およびこれと直交する方向の少なくとも一方に長い断面を有する柱状に形成され、貫通孔より一回り若干小さい突面の突部を一端側に有するとともにフランジ部を他端側に有し、突部を貫通孔に挿入してその先端側をかしめて継鉄に固定される鉄芯と、ボビンにコイルが巻回されそのコイルに電気的に接続される一対のコイル端子を有して成るコイルブロックとにより構成される。この構成によれば、鉄芯および継鉄に対するかしめ時の鉄芯の傾きが防止され、この結果、電磁石の吸引力の低下防止が可能となり、安定した電磁石の吸引力増強が可能になる。
【０００５】
しかしながら、上記電磁継電器の電磁石固定方法の場合、継鉄および鉄芯を、固定部の外周４方向とフランジ部側の一方向の合計５方向から、固定治具で固定しながら、貫通孔からの鉄芯の出しろに対して、貫通孔と突部との間に生じる隙間を埋めるようにスピンかしめが実行されるので、鉄芯の軸方向の固定およびその傾きの防止は十分であるものの、スピンに対する鉄芯の固定が不十分であり、鉄芯が継鉄の固定部に対し回動して動作に不具合が生じる恐れがある。
【０００６】
本発明は、上記事情に鑑みてなされたものであり、鉄芯と継鉄とをスピンかしめで固定する際、スピンに対する鉄芯の固定を確実にし得る電磁継電器のコイルボビン構造を提案することを目的とする。
【０００７】
【課題を解決するための手段】
上記課題を解決するために請求項１記載の発明は、Ｌ字状に形成され、長方形状の貫通孔が穿設された固定部を一端側に有する継鉄と、前記貫通孔よりも長手方向およびこれと直交する方向の少なくとも一方に長い断面を有する柱状に形成され、前記貫通孔より一回り若干小さい突面の突部を一端側に有するとともにフランジ部を他端側に有し、前記突部を前記貫通孔に挿入してその先端側をかしめて前記継鉄に固定される鉄芯と、前記鉄芯に巻回されるコイルとにより構成される電磁継電器の電磁石に使用されるコイルボビンであって、前記コイルボビンは、固定治具挿入用の切り欠けが一部に形成された鍔を有して成り、前記鉄芯と前記コイルとの間に介設されるのである。
【０００８】
この構造では、鍔の切り欠け領域で鉄芯が露出するようになるので、その領域で固定治具により鉄芯を固定することができるようになる。これにより、鉄芯と継鉄とをスピンかしめで固定する際、スピンに対して鉄芯を確実に固定することができる。
【０００９】
なお、請求項１記載の電磁継電器のコイルボビン構造において、前記コイルボビンは、断面コ字状で両端に鍔を有する形状に形成され、前記鉄芯のフランジ部側に位置する鍔に前記切り欠けを有する構造でもよい（請求項２）。この構造によれば、鉄芯と継鉄とをスピンかしめで固定する際、スピンに対して鉄芯を確実に固定することができる。
【００１０】
また、請求項１記載の電磁継電器のコイルボビン構造において、前記コイルボビンは、筒状で両端に鍔を有する形状に形成され、前記鉄芯のフランジ部側に位置する鍔に前記切り欠けを有する構造でもよい（請求項３）。この構造によれば、鉄芯と継鉄とをスピンかしめで固定する際、スピンに対して鉄芯を確実に固定することができる。
【００１１】
さらに、請求項１〜３のいずれかに記載の電磁継電器のコイルボビン構造において、前記鉄芯のフランジ部側に位置する前記鍔には、カードの移動を規制する突部が形成されている構造でもよい（請求項４）。この構造によれば、固定治具挿入用の切り欠けにより、鉄芯と継鉄とをスピンかしめで固定する際、スピンに対して鉄芯を確実に固定することができるから、継鉄の固定部に対する鉄芯の傾きに起因する鍔の突部の傾きを防止することができる。これにより、カードに対する鍔の突部のクリアランスを確保することができ、安定動作が可能になる。
【００１２】
請求項５記載の発明は、請求項１〜４のいずれかに記載の電磁継電器のコイルボビン構造を持つコイルボビンと、前記継鉄と、前記鉄芯と、前記コイルとにより構成される電磁継電器の電磁石における鉄芯を固定する方法であって、前記貫通孔に前記突部が挿入された状態の前記継鉄および鉄芯を、前記固定部の外周４方向と前記フランジ部側の一方向の合計５方向から、固定治具で固定しながら、前記貫通孔からの前記鉄芯の出しろに対して、前記貫通孔と前記突部との間に生じる隙間を埋めるようにスピンかしめを実行する際、さらに前記固定治具で前記切り欠けを通して前記鉄芯を固定するものである。
【００１３】
この方法によれば、鉄芯と継鉄とをスピンかしめで固定する際、スピンに対して鉄芯を確実に固定することができる。
【００１４】
【発明の実施の形態】
図１は本発明の一実施形態に係る電磁継電器のコイルボビン構造を示し、そのコイルボビンを相対する２方向から見た斜視図、図２は本電磁継電器のコイルボビン構造を適用して成る電磁継電器の前方、上方および左方から見た断面図、図３は図２に示す電磁石ブロックの分解斜視図で、これらの図を用いて以下に本実施形態の説明を行う。
【００１５】
まず、電磁継電器の構造について説明すると、図２に示す電磁継電器は、樹脂製のボディ１１およびカバー１２により成る器体１と、固定接点ブロック２と、別の固定接点ブロック３と、これら固定接点ブロック２，３の間に介設される可動接点バネブロック４と、電磁石ブロック５（電磁石）と、接極子６と、カード７とを備えている。
【００１６】
固定接点ブロック２は、金属製の固定側端子２１と、この固定側端子２１の上部左面に設けられる金属製の固定接点２２とにより構成されている。同様に、固定接点ブロック３も、金属製の固定側端子３１と、この固定側端子３１の上部右面に設けられる金属製の固定接点３２とにより構成され、これら固定接点ブロック２，３は、それらの固定接点２２，３２が対面するようにボディ１１に組み込まれ、器体１内に収納されている。
【００１７】
可動接点バネブロック４は、金属製の可動側端子４１と、この可動側端子４１の上端に下端が接続（例えばリベットで締結）される金属製の板バネ４２と、この板バネ４２の上部左右面に設けられる一対の金属製の可動接点４３とにより構成され、これら一対の可動接点４３がそれぞれ上述の固定接点２２，３２に接離自在に対面するようにボディ１１に組み込まれ、器体１内に収納されている。
【００１８】
電磁石ブロック５は、図３に示すように、継鉄５１、鉄芯５２、コイルボビン５３（図１参照）、このコイルボビン５３に巻回されるコイル５４、および接極子６取付用のヒンジバネ５５により一体に構成され、ボディ１１に組み込まれ、器体１内に収納されている。
【００１９】
継鉄５１は、Ｌ字状に形成され、長方形状の貫通孔５１１ａが穿設された固定部５１１を右端側に有しているとともに、左端側の下面に、ヒンジバネ５５締結用の２つの突起５１１ｂ（図２（ａ）参照）を有している。そして、ヒンジバネ５５は、各突起５１１ｂが挿通される図略の孔を有しており、その各孔に突起５１１ｂを挿通し、その突起５１１ｂの先端側をかしめることにより継鉄５１に締結される。
【００２０】
鉄芯５２は、貫通孔５１１ａよりも長手方向に長い断面を有する柱状に形成され、貫通孔５１１ａより一回り若干小さい突面５２１ａの突部５２１を右端側に有するとともにフランジ部５２２を左端側に有し、突部５２１を貫通孔５１１ａに挿入してその先端側をかしめて継鉄５１に固定される。なお、コイルボビン５３の具体構造については後述する。
【００２１】
接極子６は、図２に示すように、ヒンジバネ５５を介して下端側が継鉄５１に略回動自在に支持され、鉄芯５２のフランジ部５２２に離着するものである。カード７は、可動接点バネブロック４および接極子６の双方に係合し、接極子６の回動に応じて、可動接点バネブロック４の一方の可動接点４３を固定接点ブロック２，３の固定接点２２，３２のどちらか一方に当接させるものである。図２の例では、接極子６の上端両側に、一対の係合溝６１が形成され、カード７の右端両側に、各係合溝６１に係合する先端フック状の突出部７１が一体に形成されている一方、可動接点バネブロック４の上端部に対して押接部となるカード７の右端に、軸状の突起７２が一体に形成され、可動接点バネブロック４の上端部に、突起７２が挿通される孔が穿設されている。また、カード７の左端中央には、孔７３ａが穿設された突片７３が一体に形成されている。
【００２２】
図４は図１のコイルボビンの比較説明に相応しいコイルボビンの参考例を示す図で、この図４をさらに用いて次にコイルボビン５３の構造を説明する。
【００２３】
コイルボビン５３は、図１に示すように、左右方向に伸びて後方に開口する断面コ字状の中央部５３１と、この中央部５３１の右端に形成される薄手の鍔部５３２と、中央部５３１の左端に形成され前方が切り欠かれて成る厚手の鍔部５３３と、この鍔部５３３の上面に突設された角状の突部５３４と、鍔部５３３の下端後方から下方に延設され、コイル５４の両端がそれぞれ接続される一対のコイル端子５３５を一体に備え、下面側が器体１の外壁を兼ねる延設部５３６とを一体に有する形状に樹脂により形成される（図２（ａ）参照）。
【００２４】
つまり、コイルボビン５３は、図４の斜線部分Ａを切り欠いて成る鍔部５３３を有する構造になっており、これにより、鉄芯５２をコイルボビンに装着した場合、図４の参考例では、鉄芯５２のフランジ部５２２から右方がそのコイルボビンによって覆われるのであるが、本実施形態のコイルボビン５３では、鉄芯５２のフランジ部５２２から右方の一部（図３の斜線部分Ｂ）が露出する状態になるのである。
【００２５】
また、中央部５３１の前面における左端は、図１および図２（ａ）に示すように、鍔部５３３の右端よりも若干左方に延出している。
【００２６】
また、鍔部５３３の突部５３４は、カード７の左右方向の移動を規制するために設けられ、図２（ｂ）の例では、カード７の突片７３における孔７３ａに挿通される。そして、突部５３４の外寸と突片７３の孔径は、前後方向（図２（ｂ）では上下方向）において、突部５３４と突片７３の孔７３ａの内壁との間に所定のクリアランスＣを持たせるように設計される。
【００２７】
図５は継鉄５１および鉄芯５２に対するスピンかしめ時の固定方法の説明図、図６はスピンかしめの前後における電磁石ブロック５の斜視図、図７は一部が切り欠かれた鍔部５３３により得られる効果の説明図で、これらの図を用いて以下に電磁石ブロック５の組立手順の一例を説明する。
【００２８】
まず、鉄芯５２をコイルボビン５３に装着し、このコイルボビン５３にコイル５４を巻回し、続いて、コイル５４の両端をそれぞれコイルボビン５３の一対のコイル端子５３５に接続（例えば半田接続）する。あるいは、コイルボビン５３にコイル５４を巻回し、コイル５４の両端をそれぞれコイルボビン５３の一対のコイル端子５３５に接続し、続いて、コイルボビン５３に鉄芯５２を装着する手順でもよい。
【００２９】
この後、鉄芯５２の突部５２１を継鉄５１の貫通孔５１１ａに挿入する。これにより、図６（ａ）に示すような仮固定の電磁石ブロック５が得られる。このとき、突部５２１の突出長が貫通孔５１１ａの貫通長より長いので、貫通孔５１１ａから右方に突部５２１の一部が突出し、その部分が出しろとなっている。
【００３０】
この後、継鉄５１および鉄芯５２を、図５に示すように、固定部５１１の外周４方向Ｄ１〜Ｄ４とフランジ部５２２側の一方向Ｄ５の合計５方向から、分割部Ｊ１〜Ｊ３により成る固定治具Ｊで固定しながら、そして、ウレタンゴムなどにより成る筒状の弾性部材ＥＭで固定部５１１における貫通孔５１１ａの周りを下方に押圧しながら、貫通孔５１１ａからの突部５２１の出しろに対して、貫通孔５１１ａと突部５２１との間に生じる隙間を埋めるようにスピンかしめを実行する。
【００３１】
ここで、図５の例では、固定治具Ｊは、分割部Ｊ１でＤ１の方向を固定し、分割部Ｊ２でＤ２の方向を固定し、そして分割部Ｊ３でＤ３〜Ｄ５の方向を固定するように構成されている。また、分割部Ｊ３には、鍔部５３３の切り欠きにより露出する鉄芯５２の一部（図３の斜線部分Ｂを参照）を押さえる押え部Ｊ３１が設けられ、分割部Ｊ１，Ｊ３により、その一部と鉄芯５２のフランジ部５２２の後方側壁（図３の斜線部分Ｅを参照）の双方が固定される。もし、このように、上記一部とフランジ部５２２の後方側壁の双方を固定しなければ、スピンかしめの際に、鉄芯５２が継鉄５１の固定部５１１に対して、例えば図７に示す矢印の方向に回動する恐れがある。そして、回動した状態で継鉄５１および鉄芯５２がかしめ固定されたとすれば、継鉄５１の固定部５１１に対する鉄芯５２の回動による傾きに応じてコイルボビン５３も傾くことになる。そうすると、コイルボビン５３の鍔部５３３における突部５３４も鉄芯５２の傾きと同一方向に傾くことになるので、図２（ｂ）に示すクリアランスＣがなくなり、コイルボビン５３の突部５３４とカード７の突片７３との摩擦が大きくなる。この結果、動作に不具合が生じる。このため、本実施形態では、上記一部とフランジ部５２２の後方側壁の双方を固定するようにしたので、スピンかしめの際に、鉄芯５２が継鉄５１の固定部５１１に対して回動する恐れがなくなり、動作の安定した電磁継電器を得ることができる。
【００３２】
以上により、図６（ｂ）に示すように、鉄芯５２の出しろがほぼ無くなるとともに、貫通孔５１１ａと突部５２１との間の隙間がなくなり、かしめ固定された電磁石ブロック５が得られる。なお、上記スピンかしめの実行の際、継鉄５１の固定部５１１の右面に対しても、突部５２１により生じる鉄芯５２の段差面に固定部５１１の左面を押し付けるようにかつ鉄芯５２が挫屈しない程度に、スピンかしめを実行してもよい。
【００３３】
以上、本実施形態によれば、鉄芯５２と継鉄５１とをスピンかしめで固定する際、スピンに対して鉄芯５２を確実に固定することができる。これにより、クリアランスＣを設計値通り確保することができ、安定動作が可能になる。また、鉄芯５２の磁極面が回動した状態で固定されないので、磁束が設計値通り接極子６にロス無く伝わる。さらに、特願平１１−１８０９２２号の発明と同様に、電磁石の吸引力増強が可能になり、スピンかしめ時の鉄芯の傾き防止が可能になる。
【００３４】
なお、本実施形態では、コイルボビンは、断面コ字状の中央部５３１を有する構造になっているが、この構造に限らず、筒状の中央部を有する構造でもよい。この構造例を図８に示し、その比較説明に相応しいコイルボビンの参考例を図９に示す。図８に示すコイルボビン５３Ａは、中央部５３１Ａが筒状に形成されている以外は、図１に示すコイルボビン５３と同様に形成されている。ただし、図８では、コイル端子５３５は図示省略してあり、斜線領域Ｆは切り欠け領域を示す。この場合も、鉄芯５２をコイルボビンに装着した場合、図９の参考例では、Ｇの部分が切り欠けられていないので、鉄芯５２のフランジ部５２２から右方がそのコイルボビンによって覆われる。これに対して、図８に示すコイルボビン５３Ａでは、斜線領域Ｆに対応する鉄芯５２の一部（図３の斜線部分Ｂ）が露出する状態になるので、上記実施形態と同様の効果を奏することが可能になる。さらに、図８（ａ）の構造では、図２（ａ）と同様に、中央部５３１Ａの前面における左端が鍔部５３３の右端よりも若干左方に延出しているので、コイルボビン５３Ａに巻回されたコイル５４が左方に膨らんでも、その膨らんだコイル部分と鉄芯５２との間に中央部５３１Ａの上記延出部分が介在することになるから、コイル５４と鉄芯５２との前後方向の絶縁距離を確保することができる。
【００３５】
また、継鉄および鉄芯の結合構造は、図３に示す構造に限らず、他の結合構造を採用してもよい。この他の結合構造例を図１０および図１１に示す。図１０の例では、継鉄５１Ａは、図３と比較して、前後方向の長さが短く上下方向の長さが長い長方形状の貫通孔５１１ａＡが穿設された固定部５１１Ａを右端側に有している以外は図３に示す継鉄５１と同様に形成されている。鉄芯５２Ａは、貫通孔５１１ａＡより長手方向の長さが若干短くて幅広の断面を有する柱状に形成され、貫通孔５１１ａＡより一回り若干小さい突面の突部５２１Ａを右端側に有するとともにフランジ部５２２を左端側に有している。一方、図１１の例では、継鉄５１Ｂは、図３と比較して、前後および上下方向の各長さが短い長方形状の貫通孔５１１ａＢが穿設された固定部５１１Ｂを右端側に有している以外は図３に示す継鉄５１と同様に形成されている。鉄芯５２Ｂは、貫通孔５１１ａＢより一回り大きい断面を有する柱状に形成され、貫通孔５１１ａＢより一回り若干小さい突面の突部５２１Ｂを右端側に有するとともにフランジ部５２２を左端側に有している。これら結合構造でも、電磁石の吸引力増強が可能になり、スピンかしめ時の鉄芯の傾き防止が可能になる。
【００３６】
さらに、本実施形態では、切り欠け領域が鍔部５３３の前方に設けられる構造になっているが、後方に設けられる構造でもよく、この構造の場合、押え部Ｊ３１に相当する押え部を分割部Ｊ１に設ける必要があるのは言うまでもない。
【００３７】
【発明の効果】
以上のことから明らかなように、請求項１記載の発明によれば、Ｌ字状に形成され、長方形状の貫通孔が穿設された固定部を一端側に有する継鉄と、前記貫通孔よりも長手方向およびこれと直交する方向の少なくとも一方に長い断面を有する柱状に形成され、前記貫通孔より一回り若干小さい突面の突部を一端側に有するとともにフランジ部を他端側に有し、前記突部を前記貫通孔に挿入してその先端側をかしめて前記継鉄に固定される鉄芯と、前記鉄芯に巻回されるコイルとにより構成される電磁継電器の電磁石に使用されるコイルボビンであって、前記コイルボビンは、固定治具挿入用の切り欠けが一部に形成された鍔を有して成り、前記鉄芯と前記コイルとの間に介設されるので、鉄芯と継鉄とをスピンかしめで固定する際、スピンに対して鉄芯を確実に固定することができる。
【００３８】
請求項２記載の発明によれば、請求項１記載の電磁継電器のコイルボビン構造において、前記コイルボビンは、断面コ字状で両端に鍔を有する形状に形成され、前記鉄芯のフランジ部側に位置する鍔に前記切り欠けを有するものであって、この構造でも、鉄芯と継鉄とをスピンかしめで固定する際、スピンに対して鉄芯を確実に固定することができる。
【００３９】
請求項３記載の発明によれば、請求項１記載の電磁継電器のコイルボビン構造において、前記コイルボビンは、筒状で両端に鍔を有する形状に形成され、前記鉄芯のフランジ部側に位置する鍔に前記切り欠けを有するものであって、この構造でも、鉄芯と継鉄とをスピンかしめで固定する際、スピンに対して鉄芯を確実に固定することができる。
【００４０】
請求項４記載の発明によれば、請求項１〜３のいずれかに記載の電磁継電器のコイルボビン構造において、前記鉄芯のフランジ部側に位置する前記鍔には、カードの移動を規制する突部が形成されているのであって、この構造では、固定治具挿入用の切り欠けにより、鉄芯と継鉄とをスピンかしめで固定する際、スピンに対して鉄芯を確実に固定することができるから、継鉄の固定部に対する鉄芯の傾きに起因する鍔の突部の傾きを防止することができる。これにより、カードに対する鍔の突部のクリアランスを確保することができ、安定動作が可能になる。
【００４１】
請求項５記載の発明によれば、請求項１〜４のいずれかに記載の電磁継電器のコイルボビン構造を持つコイルボビンと、前記継鉄と、前記鉄芯と、前記コイルとにより構成される電磁継電器の電磁石における鉄芯を固定する方法であって、前記貫通孔に前記突部が挿入された状態の前記継鉄および鉄芯を、前記固定部の外周４方向と前記フランジ部側の一方向の合計５方向から、固定治具で固定しながら、前記貫通孔からの前記鉄芯の出しろに対して、前記貫通孔と前記突部との間に生じる隙間を埋めるようにスピンかしめを実行する際、さらに前記固定治具で前記切り欠けを通して前記鉄芯を固定するので、鉄芯と継鉄とをスピンかしめで固定する際、スピンに対して鉄芯を確実に固定することができる。
【図面の簡単な説明】
【図１】（ａ），（ｂ）は本発明の一実施形態に係る電磁継電器のコイルボビン構造を示し、そのコイルボビンを相対する２方向から見た斜視図である。
【図２】（ａ）〜（ｃ）はそれぞれ本電磁継電器のコイルボビン構造を適用して成る電磁継電器の前方、上方および左方から見た断面図である。
【図３】図２に示す電磁石ブロックの分解斜視図である。
【図４】（ａ），（ｂ）は図１のコイルボビンの比較説明に相応しいコイルボビンの参考例を示し、それを相対する２方向から見た斜視図である。
【図５】継鉄および鉄芯に対するスピンかしめ時の固定方法の説明図である。
【図６】（ａ），（ｂ）はそれぞれスピンかしめの前後における電磁石ブロックの斜視図である。
【図７】一部が切り欠かれた鍔部により得られる効果の説明図である。
【図８】筒状の中央部を有する別のコイルボビンを示し、（ａ）は前面図、（ｂ）は左側面図である。
【図９】図８におけるコイルボビンとの比較説明に相応しいコイルボビンの参考例を示し、（ａ）は前面図、（ｂ）は左側面図である。
【図１０】継鉄および鉄芯の別の結合構造の例を示す斜視図である。
【図１１】継鉄および鉄芯の別の結合構造の例を示す斜視図である。
【符号の説明】
１  器体
２  固定接点ブロック
３  固定接点ブロック
４  可動接点バネブロック
５  電磁石ブロック
６  接極子
７  カード
５１  継鉄
５２  鉄芯
５３  コイルボビン
５４  コイル
５３１  中央部
５３２  鍔部
５３３  鍔部
５３４  突部
５３５  コイル端子
５３６  延設部
【図１】
0003985400.tif 000002
【図２】
0003985400.tif 000003
【図３】
0003985400.tif 000004
【図４】
0003985400.tif 000005
【図５】
0003985400.tif 000006
【図６】
0003985400.tif 000007
【図７】
0003985400.tif 000008
【図８】
0003985400.tif 000009
【図９】
0003985400.tif 000010
【図１０】
0003985400.tif 000011
【図１１】
0003985400.tif 000012